(57)【要約】      （修正有）【課題】作業の容易性と作業者の安全性を有する、防雪柵主柱の可動機構を提供する。【解決手段】折り畳み式防雪柵主柱の上部主柱可動機構において、上部主柱可動のための油圧シリンダー８を設けるとともに該油圧シリンダーのシリンダーロッド９端に、上部主柱に該機構を固定するための可動機構固定部Ａを設け、該シリンダー他端に、下部主柱に該可動機構の他端を固定するための下部主柱保持部Ｂを設けたことを特徴とする。【選択図】図１
0003217022.tif 000002
【実用新案登録請求の範囲】
【請求項１】
折り畳み式防雪柵主柱の上部主柱可動機構において、上部主柱可動のための油圧シリンダーを設けるとともに該シリンダーロッド端に、上部主柱に該機構を固定するための可動機構固定部を設け、該シリンダー他端に、下部主柱に該可動機構の他端を固定するための下部主柱保持部を設けたことを特徴とする防雪柵主柱可動機構。
【請求項２】
可動機構固定部を、シリンダー保持板を有する平板よりなる主板を設けるとともに、該主板に垂直固定される副板と、該副板に固定される有孔の下部主柱保持板とから構成してなる請求項１記載の防雪柵主柱可動機構。
【請求項３】
下部主柱保持部を、有孔の下部主柱保持板と、この保持板に垂直固定される回動板とから構成してなる請求項１または２記載の防雪柵主柱可動機構。
【考案の詳細な説明】
【技術分野】
【０００１】  この考案は、折り畳み式防雪柵における上部主柱の可動機構に関する。
【背景技術】
【０００２】  従来、折り畳み式防雪柵主柱の可動においては、上部主柱にスリングベルトを通し、ユニック車を使用しての作業が行われており、本案に示すような上部主柱可動のための専用の機構は見当たらない。
【考案の概要】
【考案が解決しようとする課題】
【０００３】  現在、防雪柵維持管理作業における主柱立て込み作業・収納作業の主流はスリングベルトを使用し、小型移動式クレーン車による作業が行われているため、片側交通規制を必要とし、歩道・路肩での作業ができず、作業者の安全性も問題となっている。
本案は以上に鑑み、専用の可動機構を用いることにより、作業効率向上および作業の安全性に寄与し得る新規かつ有用なる手段を提供することを目的として発案・開発されたものである。
【課題を解決するための手段】
【０００４】  課題を解決する手段として本案は以下の構成とした。
すなわち、折り畳み式防雪柵主柱の上部主柱可動機構において、上部主柱可動のための油圧シリンダーを設けるとともに該シリンダーロッド端に、上部主柱に該機構を固定するための可動機構固定部を設け、該シリンダー他端に、下部主柱に該可動機構の他端を固定するための下部主柱保持部を設ける。
本案は以上の構成よりなる防雪柵主柱可動機構である。
【考案の効果】
【０００５】  本案は下記の効果を有する。
１．歩道や路肩での作業が可能なため、車道本線の規制等を行うことなく、防雪柵の維持管理作業を行うことができる。
２．防雪柵より離れての機器操作のため、作業の安全性を確保向上させることができる。
３．自動油圧装置を使用することにより、作業効率を大幅に向上させることができる。
４．歩道・路肩での作業により、盛土法面設置箇所の場合でも、足場確保を容易とすることができる。
【図面の簡単な説明】
【０００６】
【図１】本考案の斜視図
【図２】本考案の正面図（シリンダーロッド縮時）
【図３】本考案の平面図（シリンダーロッド縮時）
【図４】本考案の使用説明図
【考案を実施するための最良の形態】
【０００７】  以下、本考案の実施形態について説明する。
図において、１は主板で、適宜厚の長方形金属板であり、その適所には角穴が設けられる。２は副板で、前記角穴にその一部が挿通されて突出し、溶接にて主板に垂直固定される長方形板体である。この副板には４個の上部主柱に対する可動機構固定部位置設定のための設定ピン３が突設される。４は上部主柱保持板で、コ字形板体であって図のごとく該副板側面に固着される。５は該保持板上下に設けられた角穴よりなる挿通孔である。６は主板側面に垂直に固着される補強板である。以上により、可動機構固定部Ａが構成される。【０００８】  前記主板下面には有孔のシリンダー保持板７が固着される。８は油圧シリンダー、９はシリンダーロッドで、このシリンダーロッド端には二股有孔のロッド金具１０が付帯しており、該ロッド金具の孔とシリンダー保持板の孔にはピンが挿通され、シリンダー保持板に対しシリンダーロッドおよびシリンダーはこのピンを回動中心として回動可能である。１１は前記ロッド金具と同様構造のシリンダー金具で、同様にピンを介して回動板１２が設けられ、この回動板に有孔Ｌ形の下部主柱保持板１３が垂直固着される。この孔は下部主柱保持孔１４である。以上の回動板と下部主柱保持板および下部主柱保持孔にて下部主柱保持部Ｂが構成される。【０００９】  次に、本装置の使用について説明する。図において、２０は地上に立設固定される下部主柱、２１は上部主柱であり、各々Ｈ型鋼が用いられる。
下部主柱上端には上板２２が、上部主柱下端には底板２３が各々固着されている。
この双方の板はヒンジ２４に固定され、下部主柱に対し上部主柱はこのヒンジを回動中心として回動可能である。この回動は前記シリンダー駆動にてなされ、下部主柱上に上部主柱を垂直に位置させ、あるいは折曲状態に位置させることが可能である。【００１０】  以下に、本案装置と各主柱との取り合いについて説明する。
図のごとく、上部主柱側面にはＬ形板体の上部固定板３０と下部固定板３１が上下に所定距離を有して対向固着にて突設配置される。つまり、上部固定板の一端が上部主柱側面に溶接固着されて、該側面より突出し、折曲部から上向きに立ち上がる形状であり、下部固定板は同様に固着されるが、折曲部より下向きに下降して配置される。
また、双方のＬ形板体中程には角穴が設けられる。【００１１】  既述のように上部主柱保持板４にも同様の角穴が設けられており、これらの角穴を挿通位置するＬ形の挿入板３２が存在し、これにて上部主柱に対し可動機構固定部が位置固定される。このとき、主板は上部主柱に沿って当接する。また、上部主柱側面には４個の孔が穿設され、この孔の位置は前記の設定ピン３と同一であり、上部主柱の孔とこのピンをあてがい、孔へのピン挿入にて上部主柱に対する可動機構固定部の位置設定を行うことができる。前記の下部主柱適所には有孔のピンが溶接にて突設されており、これに下部主柱保持板の下部主柱保持孔をはめてリンジピンにて固定し、下部主柱に対する下部主柱保持部位置固定の設定がなされる。【００１２】  以上の構成から、シリンダーロッドの伸縮にて上部主柱を下部主柱と一直線に立ち上げ、また直角に折曲した状態を選択することができる。このシリンダーには油圧装置からの油が供給されてシリンダー駆動と停止が選択される。この操作は、複動油圧シリンダーおよび電動油圧装置を使用して自動で行われる。上部・下部の各主柱は地上に平行配置され、上部主柱間には複数枚の防雪板が配置され、冬期降雪時には上部主柱を垂直に立ち上げ、夏季など非降雪時には路面と平行位置とし、ドライバーの運転を円滑とすることができる。【００１３】  以上、本案について記したが、本案は上部主柱の可動において、車道本線の通行規制を不要とし、該主柱可動のための油圧シリンダー操作の自動化を可能とした有用なる手段を提供するものである。また、電動油圧装置取付は、固定プレートと固定ピンにて簡単に行うことができ、防雪柵より離れての機器操作のため安全性にも優れている。
近年は高盛土箇所における景観性の向上と堆雪スペース確保等から盛土法面設置箇所が増加し、作業環境が厳しくなっているが、自動油圧装置の使用により、最大で１０メートル離れた位置からでも主柱立て込み作業および収納作業が行えるために、安全性が大巾に向上したのである。さらに、作業人員の減員や作業時間の短縮によって維持管理コストの低減化を可能としたのである。以上のごとく、本案によって防雪柵の維持管理に貢献し得る有用なる手段を提供することができる。
【符号の説明】
【００１４】    １  主板
２  副板
３  設定ピン
４  上部主柱保持板
５  挿通孔
６  補強板
７  シリンダー保持板
８  油圧シリンダー
９  シリンダーロッド
１０  ロッド金具
１１  シリンダー金具
１２  回動板
１３  下部主柱保持板
１４  下部主柱保持孔
２０  下部主柱
２１  上部主柱
２２  上板
２３  底板
２４  ヒンジ
３０  上部固定板
３１  下部固定板
３２  挿入板
Ａ  可動機構固定部
Ｂ  下部主柱保持部
【図１】
0003217022.tif 000003
【図２】
0003217022.tif 000004
【図３】
0003217022.tif 000005
【図４】
0003217022.tif 000006
【手続補正書】
【提出日】平成30年4月18日(2018.4.18)
【手続補正１】
【補正対象書類名】実用新案登録請求の範囲
【補正対象項目名】全文
【補正方法】変更
【補正の内容】
【実用新案登録請求の範囲】
【請求項１】
折り畳み式防雪柵主柱の上部主柱可動機構において、上部主柱可動のための油圧シリンダーを設けるとともに該油圧シリンダーのシリンダーロッド端に、上部主柱に該機構を固定するための可動機構固定部を設け、該シリンダー他端に、下部主柱に該可動機構の他端を固定するための下部主柱保持部を設けたことを特徴とする防雪柵主柱可動機構。
【請求項２】
可動機構固定部を、シリンダー保持板を有する平板よりなる主板を設けるとともに、該主板に垂直固定される副板と、該副板に固定される有孔の上部主柱保持板とから構成してなる請求項１記載の防雪柵主柱可動機構。
【請求項３】
下部主柱保持部を、有孔の下部主柱保持板と、この保持板に垂直固定される回動板とから構成してなる請求項１または２記載の防雪柵主柱可動機構。
【手続補正２】
【補正対象書類名】明細書
【補正対象項目名】０００４
【補正方法】変更
【補正の内容】
【０００４】  課題を解決する手段として本案は以下の構成とした。
すなわち、折り畳み式防雪柵主柱の上部主柱可動機構において、上部主柱可動のための油圧シリンダーを設けるとともに該油圧シリンダーのシリンダーロッド端に、上部主柱に該機構を固定するための可動機構固定部を設け、該シリンダー他端に、下部主柱に該可動機構の他端を固定するための下部主柱保持部を設ける。本案は以上の構成よりなる防雪柵主柱可動機構である。